【手続補正書】
【提出日】平成18年6月26日(2006.6.26)
【手続補正１】
【補正対象書類名】特許請求の範囲
【補正対象項目名】全文
【補正方法】変更
【補正の内容】
【特許請求の範囲】
【請求項１】
誘電体層と電極層が交互に積層された積層体からなる共用器であって、
前記積層体は、順次積層された、第１誘電体層と、第２誘電体層と、第３誘電体層と、第４誘電体層とを含み、
前記積層体内に設けられ、互いに通過帯域周波数の異なる、送信用の第１のフィルタと受信用の第２のフィルタと、
前記第１のフィルタと前記第２のフィルタとの間に設けられ、一端が短絡し、他端が外部端子に接続された結合線路からなる整合回路とを備え、
前記電極層は、
前記第１誘電体層の上面に配置された第１シールド電極と、
前記第１誘電体層と前記第２誘電体層との間に配置された、前記第１のフィルタを構成する段間結合容量電極と、前記第２のフィルタを構成する入出力結合容量電極と、
前記第２誘電体層と前記第３誘電体層との間に配置された、前記第１のフィルタを構成する第１共振器電極と、前記第２のフィルタを構成する第２共振器電極と、前記整合回路を構成する結合線路電極と、
前記第３誘電体層と前記第４誘電体層との間に配置された、前記第１のフィルタを構成する入出力結合容量電極と、前記第２のフィルタを構成する段間結合容量電極と、
前記第４誘電体層の下面に配置された第２シールド電極と、
前記第１誘電体層、第２誘電体層、第３誘電体層及び第４誘電体層の側面に設けられ、前記第１のフィルタを構成する前記入出力結合容量電極と前記第２のフィルタを構成する前記入出力結合容量電極と前記結合線路電極のそれぞれに接続された少なくとも３つの端子電極と、
前記第１シールド電極と前記第２シールド電極とを接続する端面電極とを含み、
前記第１のフィルタは、一端が短絡した第１ストリップ線路共振器を少なくとも１つ含み、
前記第２のフィルタは、一端が短絡した第２ストリップ線路共振器を少なくとも１つ含み、
前記第１ストリップ線路共振器と前記第２ストリップ線路共振器は、それぞれ前記結合線路と電磁界結合によって結合されていることを特徴とする共用器。
【請求項２】
前記第１誘電体層、第２誘電体層、第３誘電体層及び第４誘電体層の少なくとも一層は、他の誘電体層と異なる誘電率を有する請求項１に記載の共用器。
【請求項３】
前記第１ストリップ線路共振器と前記第２ストリップ線路共振器の少なくとも一方は、前記結合線路が形成された誘電体層とは異なる誘電体層に形成されている請求項１に記載の共用器。
【請求項４】
前記結合線路は、互いに連結された、線路幅の異なる少なくとも２つのストリップ線路からなる請求項１に記載の共用器。
【請求項５】
前記結合線路が複数本のストリップ線路からなり、前記複数本のストリップ線路は、それぞれ異なる誘電体層に設けられている請求項１に記載の共用器。
【請求項６】
前記複数本のストリップ線路のうち少なくとも１つは、他のストリップ線路と異なる線路幅を有する請求項５に記載の共用器。
【請求項７】
前記複数本のストリップ線路が、ビアホールによって互いに接続された請求項５に記載の共用器。
【請求項８】
誘電体層を介在させて前記結合線路及び前記ストリップ線路共振器と重なるように設けられた結合コンデンサをさらに備えた請求項１に記載の共用器。
【請求項９】
前記第１誘電体層を間に挟んで、前記第１シールド電極と対向させて設けられた調整用容量電極をさらに備えた請求項１に記載の共用器。
【請求項１０】
誘電体層と電極層が交互に積層された積層体からなる共用器であって、
前記積層体は、順次積層された、第１誘電体層と、第２誘電体層と、第３誘電体層と、第４誘電体層と、第５誘電体層と、第６誘電体層とを含み、
前記積層体内に設けられ、互いに通過帯域周波数の異なる、送信用の第１のフィルタと受信用の第２のフィルタと、
前記第１のフィルタと前記第２のフィルタとの間に設けられ、一端が短絡し、他端が外部端子に接続された結合線路からなる整合回路とを備え、
前記第１のフィルタと前記第２のフィルタは、シールド電極を介在させて対向して設けられており、
前記電極層は、
前記第１誘電体層の上面に配置された第１シールド電極と、
前記第１誘電体層と前記第２誘電体層との間に配置された、前記第１のフィルタを構成する、段間結合容量電極及び入出力結合容量電極と、
前記第２誘電体層と前記第３誘電体層との間に配置された、前記第１のフィルタを構成する複数個の共振器電極と、
前記第３誘電体層と前記第４誘電体層との間に配置された、第３のシールド電極と、前記整合回路を構成する結合線路電極と、
前記第４誘電体層と前記第５誘電体層との間に配置された、前記第２のフィルタを構成する、複数個の共振器電極及び当該共振器電極に接続された入出力線路電極と、
前記第５誘電体層と前記第６誘電体層との間に配置された、前記第２のフィルタを構成する段間結合容量電極と、
前記第６誘電体層の下面に配置された第２シールド電極と、
前記第１誘電体層、第２誘電体層、第３誘電体層、第４誘電体層、第５誘電体層及び第６誘電体層の側面に設けられ、前記入出力結合容量電極と前記入出力線路電極と前記結合線路電極のそれぞれに接続された少なくとも３つの端子電極と、
前記第１シールド電極と前記第２シールド電極と前記第３シールド電極とを接続する端面電極とを含み、
前記第１のフィルタは、一端が短絡した第１ストリップ線路共振器を少なくとも１つ含み、
前記第２のフィルタは、一端が短絡した第２ストリップ線路共振器を少なくとも１つ含み、
前記第１ストリップ線路共振器と前記第２ストリップ線路共振器は、それぞれ前記結合線路と電磁界結合によって結合されていることを特徴とする共用器。
【請求項１１】
誘電体層と電極層が交互に積層された積層体からなる共用器であって、
前記積層体内に積層方向に並んで配置された第１シールド電極、第２シールド電極、第３シールド電極及び第４シールド電極と、
前記第１シールド電極と第２シールド電極との間に配置され、一端が短絡したストリップ線路共振器が複数個平行に近接して構成された第１のフィルタと、
前記第２シールド電極と第３シールド電極との間に配置され、結合線路からなる整合回路と、
前記第３シールド電極と前記第４シールド電極との間に配置され、一端が短絡したストリップ線路共振器が複数個平行に近接して構成され、前記第１のフィルタと通過帯域周波数の異なる第２のフィルタとを備え、
前記第２及び第３シールド電極には結合窓が設けられ、
前記第１及び第２のフィルタを構成する前記ストリップ線路共振器と前記結合線路とが、それぞれ前記結合窓を介して、電磁界結合によって結合されていることを特徴とする共用器。
【請求項１２】
前記積層体は、順次積層された、第１誘電体層と、第２誘電体層と、第３誘電体層と、第４誘電体層と、第５誘電体層と、第６誘電体層と、第７誘電体層と、第８誘電体層とを含み、
前記電極層は、
前記第１誘電体層の上面に配置された第１シールド電極と、
前記第１誘電体層と前記第２誘電体層との間に配置された、前記第１のフィルタを構成する、段間結合容量電極及び入出力結合容量電極と、
前記第２誘電体層と前記第３誘電体層との間に配置された、前記第１のフィルタを構成する複数個の共振器電極と、
前記第３誘電体層と前記第４誘電体層との間に配置され、一部に前記結合窓が設けられた第３のシールド電極と、
前記第４誘電体層と前記第５誘電体層との間に配置された、前記整合回路を構成する結合線路電極と、
前記第５誘電体層と前記第６誘電体層との間に配置され、一部に前記結合窓が設けられた第４シールド電極と、
前記第６誘電体層と前記第７誘電体層との間に配置され、前記第２のフィルタを構成する、複数個の共振器電極及び当該共振器電極に接続された入出力線路電極と、
前記第７誘電体層と前記第８誘電体層との間に配置された、前記第２のフィルタを構成する段間結合容量電極と、
前記第８の誘電体層の下面に配置された第２のシールド電極と、
前記第１誘電体層、第２誘電体層、第３誘電体層、第４誘電体層、第５誘電体層、第６誘電体層、第７誘電体層及び第８誘電体層の側面に設けられ、前記入出力結合容量電極と前記入出力線路電極と前記結合線路電極のそれぞれに接続された少なくとも３つの端子電極と、
前記第１シールド電極と前記第２シールド電極と前記第３シールド電極と前記第４シールド電極とを接続する端面電極とを含む請求項１１に記載の共用器。
【請求項１３】
誘電体層と電極層が交互に積層された積層体からなる共用器であって、
前記積層体は、順次積層された、第１誘電体層と、第２誘電体層と、第３誘電体層と、第４誘電体層とを含み、
前記積層体内に設けられ、互いに通過帯域周波数の異なる、送信用の第１のフィルタと受信用の第２のフィルタと、
前記第１のフィルタと前記第２のフィルタとの間に設けられ、一端が開放し、他端が外部端子に接続された結合線路からなる整合回路とを備え、
前記電極層は、
前記第１誘電体層の上面に配置された第１シールド電極と、
前記第１誘電体層と前記第２誘電体層との間に配置された、前記第１のフィルタを構成する段間結合容量電極と、前記第２のフィルタを構成する入出力結合容量電極と、
前記第２誘電体層と前記第３誘電体層との間に配置された、前記第１のフィルタを構成する第１共振器電極と、前記第２のフィルタを構成する第２共振器電極と、前記整合回路を構成する結合線路電極と、
前記第３誘電体層と前記第４誘電体層との間に配置された、前記第１のフィルタを構成する入出力結合容量電極と、前記第２のフィルタを構成する段間結合容量電極と、
前記第４誘電体層の下面に配置された第２シールド電極と、
前記第１誘電体層、第２誘電体層、第３誘電体層及び第４誘電体層の側面に設けられ、前記第１のフィルタを構成する前記入出力結合容量電極と前記第２のフィルタを構成する前記入出力結合容量電極と前記結合線路電極のそれぞれに接続された少なくとも３つの端子電極と、
前記第１シールド電極と前記第２シールド電極とを接続する端面電極とを含み、
前記第１のフィルタは、一端が短絡した第１ストリップ線路共振器を少なくとも１つ含み、
前記第２のフィルタは、一端が短絡した第２ストリップ線路共振器を少なくとも１つ含み、
前記第１ストリップ線路共振器と前記第２ストリップ線路共振器は、それぞれ前記結合線路と電磁界結合によって結合されていることを特徴とする共用器。
【請求項１４】
前記結合線路の開放端側に、誘電体層を介在させて整合用容量電極が接続されている請求項１３に記載の共用器。
【請求項１５】
前記第１誘電体層、第２誘電体層、第３誘電体層及び第４誘電体層の少なくとも一層は、他の誘電体層と異なる誘電率を有する請求項１３に記載の共用器。
【請求項１６】
前記第１ストリップ線路共振器と前記第２ストリップ線路共振器の少なくとも一方は、前記結合線路が形成された誘電体層とは異なる誘電体層に形成されている請求項１３に記載の共用器。
【請求項１７】
前記結合線路は、互いに連結された、線路幅の異なる少なくとも２つのストリップ線路からなる請求項１３に記載の共用器。
【請求項１８】
前記結合線路が複数本のストリップ線路からなり、前記複数本のストリップ線路は、それぞれ異なる誘電体層に設けられている請求項１３に記載の共用器。
【請求項１９】
前記複数本のストリップ線路のうち少なくとも１つは、他のストリップ線路と異なる線路幅を有する請求項１８に記載の共用器。
【請求項２０】
前記複数本のストリップ線路が、ビアホールによって互いに接続された請求項１８に記載の共用器。
【請求項２１】
誘電体層を介在させて前記結合線路及び前記ストリップ線路共振器と重なるように設けられた結合コンデンサをさらに備えた請求項１３に記載の共用器。
【請求項２２】
前記第１誘電体層を間に挟んで、前記第１シールド電極と対向させて設けられた調整用容量電極をさらに備えた請求項１３に記載の共用器。
【請求項２３】
誘電体層と電極層が交互に積層された積層体からなる共用器であって、
前記積層体は、順次積層された、第１誘電体層と、第２誘電体層と、第３誘電体層と、第４誘電体層と、第５誘電体層と、第６誘電体層とを含み、
前記積層体内に設けられ、互いに通過帯域周波数の異なる、送信用の第１のフィルタと受信用の第２のフィルタと、
前記第１のフィルタと前記第２のフィルタとの間に設けられ、一端が開放し、他端が外部端子に接続された結合線路からなる整合回路とを備え、
前記第１のフィルタと前記第２のフィルタは、シールド電極を介在させて対向して設けられており、
前記電極層は、
前記第１誘電体層の上面に配置された第１シールド電極と、
前記第１誘電体層と前記第２誘電体層との間に配置された、前記第１のフィルタを構成する、段間結合容量電極及び入出力結合容量電極と、
前記第２誘電体層と前記第３誘電体層との間に配置された、前記第１のフィルタを構成する複数個の共振器電極と、
前記第３誘電体層と前記第４誘電体層との間に配置された、第３のシールド電極と、前記整合回路を構成する結合線路電極と、
前記第４誘電体層と前記第５誘電体層との間に配置された、前記第２のフィルタを構成する、複数個の共振器電極及び当該共振器電極に接続された入出力線路電極と、
前記第５誘電体層と前記第６誘電体層との間に配置された、前記第２のフィルタを構成する段間結合容量電極と、
前記第６誘電体層の下面に配置された第２シールド電極と、
前記第１誘電体層、第２誘電体層、第３誘電体層、第４誘電体層、第５誘電体層及び第６誘電体層の側面に設けられ、前記入出力結合容量電極と前記入出力線路電極と前記結合線路電極のそれぞれに接続された少なくとも３つの端子電極と、
前記第１シールド電極と前記第２シールド電極と前記第３シールド電極とを接続する端面電極とを含み、
前記第１のフィルタは、一端が短絡した第１ストリップ線路共振器を少なくとも１つ含み、
前記第２のフィルタは、一端が短絡した第２ストリップ線路共振器を少なくとも１つ含み、
前記第１ストリップ線路共振器と前記第２ストリップ線路共振器は、それぞれ前記結合線路と電磁界結合によって結合されていることを特徴とする共用器。
【請求項２４】
誘電体層と電極層が交互に積層された積層体からなる共用器であって、
前記積層体内に設けられ、互いに通過帯域周波数の異なる、送信用の第１のフィルタと受信用の第２のフィルタと、
前記第１のフィルタと前記第２のフィルタとの間に設けられ、結合線路からなる整合回路とを備え、
前記第１及び第２のフィルタのうちの少なくとも一方は、帯域阻止特性を有する、一端が短絡したストリップ線路共振器と伝送線路とからなるフィルタであり、
前記伝送線路と前記結合線路が電磁界結合によって結合されていることを特徴とする共用器。
【請求項２５】
前記積層体は、順次積層された、第１誘電体層と、第２誘電体層と、第３誘電体層と、第４誘電体層と、第５誘電体層とを含み、
前記電極層は、
前記第１誘電体層の上面に配置された第１シールド電極と、
前記第１誘電体層と前記第２誘電体層との間に配置された、前記第１のフィルタを構成する段間結合容量電極と、
前記第２誘電体層と前記第３誘電体層との間に配置された、前記第１のフィルタを構成する複数個の共振器電極と、前記整合回路を構成する結合線路電極と、
前記第３誘電体層と前記第４誘電体層との間に配置された、前記第１のフィルタを構成する入出力結合容量電極と、帯域阻止特性を有する前記第２フィルタを構成する伝送線路電極と、整合回路を構成する結合線路電極と、
前記第４誘電体層と前記第５誘電体層との間に配置された、前記第２のフィルタを構成する共振器電極と、
前記第５の誘電体層の下面に配置された第２のシールド電極と、
前記第１誘電体層、第２誘電体層、第３誘電体層、第４誘電体層及び第５誘電体層の側面に設けられ、前記入出力結合容量電極と前記伝送線路電極と前記結合線路電極にそれぞれ接続された少なくとも３つの端子電極と、
前記第１シールド電極と第２シールド電極とを接続する端面電極とを含む請求項２４に記載の共用器。
【請求項２６】
前記積層体は、順次積層された、第１誘電体層と、第２誘電体層と、第３誘電体層と、第４誘電体層と、第５誘電体層とを含み、
前記電極層は、
前記第１誘電体層の上面に配置された第１シールド電極と、
前記第１誘電体層と前記第２誘電体層との間に配置された、前記第１のフィルタを構成する段間結合容量電極と、
前記第２誘電体層と前記第３誘電体層との間に配置された、前記第１のフィルタを構成する複数個の共振器電極と、前記整合回路を構成する結合線路電極と、
前記第３誘電体層と前記第４誘電体層との間に配置された、前記第１のフィルタを構成する入出力結合容量電極と、帯域阻止特性を有する前記第２フィルタを構成する伝送線路電極と、
前記第４誘電体層と前記第５誘電体層との間に配置された、前記第２のフィルタを構成する共振器電極と、
前記第５の誘電体層の下面に配置された第２のシールド電極と、
前記第１誘電体層、第２誘電体層、第３誘電体層、第４誘電体層及び第５誘電体層の側面に設けられ、前記入出力結合容量電極と前記伝送線路電極と前記結合線路電極にそれぞれ接続された少なくとも３つの端子電極と、
前記第１シールド電極と第２シールド電極とを接続する端面電極とを含み、
前記伝送線路電極の一部分は、積層方向への投影において、前記第３誘電体層を介在させて前記結合線路電極と重なっており、
前記積層方向への投影において、前記伝送線路電極の前記一部分の幅は、前記結合線路電極の幅と同一であるか又は異なっている請求項２４に記載の共用器。
【請求項２７】
誘電体層と電極層が交互に積層された積層体からなる共用器と、
前記積層体の上面に実装された半導体チップ及び/又は弾性表面波デバイスとを備えた積層型高周波デバイスであって、
前記共用器として請求項１〜２６のいずれかに記載の共用器を用いたことを特徴とする積層型高周波デバイス。
【請求項２８】
アンテナと、
送信回路から出た周波数成分を前記アンテナに送り、かつ、前記アンテナから受信した周波数成分を受信回路に送る、誘電体層と電極層が交互に積層された積層体からなる共用器とを備えた通信機器であって、
前記共用器として請求項１〜２６のいずれかに記載の共用器を用いたことを特徴とする通信機器。
【請求項２９】
前記積層体の上面に実装された半導体チップ及び/又は弾性表面波デバイスをさらに備えた請求項２８に記載の通信機器。
【手続補正２】
【補正対象書類名】明細書
【補正対象項目名】００１８
【補正方法】変更
【補正の内容】
【００１８】
前記目的を達成するため、本発明に係る共用器の第１の構成は、誘電体層と電極層が交互に積層された積層体からなる共用器であって、
前記積層体は、順次積層された、第１誘電体層と、第２誘電体層と、第３誘電体層と、第４誘電体層とを含み、
前記積層体内に設けられ、互いに通過帯域周波数の異なる、送信用の第１のフィルタと受信用の第２のフィルタと、
前記第１のフィルタと前記第２のフィルタとの間に設けられ、一端が短絡し、他端が外部端子に接続された結合線路からなる整合回路とを備え、
前記電極層は、
前記第１誘電体層の上面に配置された第１シールド電極と、
前記第１誘電体層と前記第２誘電体層との間に配置された、前記第１のフィルタを構成する段間結合容量電極と、前記第２のフィルタを構成する入出力結合容量電極と、
前記第２誘電体層と前記第３誘電体層との間に配置された、前記第１のフィルタを構成する第１共振器電極と、前記第２のフィルタを構成する第２共振器電極と、前記整合回路を構成する結合線路電極と、
前記第３誘電体層と前記第４誘電体層との間に配置された、前記第１のフィルタを構成する入出力結合容量電極と、前記第２のフィルタを構成する段間結合容量電極と、
前記第４誘電体層の下面に配置された第２シールド電極と、
前記第１誘電体層、第２誘電体層、第３誘電体層及び第４誘電体層の側面に設けられ、前記第１のフィルタを構成する前記入出力結合容量電極と前記第２のフィルタを構成する前記入出力結合容量電極と前記結合線路電極のそれぞれに接続された少なくとも３つの端子電極と、
前記第１シールド電極と前記第２シールド電極とを接続する端面電極とを含み、
前記第１のフィルタは、一端が短絡した第１ストリップ線路共振器を少なくとも１つ含み、
前記第２のフィルタは、一端が短絡した第２ストリップ線路共振器を少なくとも１つ含み、
前記第１ストリップ線路共振器と前記第２ストリップ線路共振器は、それぞれ前記結合線路と電磁界結合によって結合されていることを特徴とする。
【手続補正３】
【補正対象書類名】明細書
【補正対象項目名】００１９
【補正方法】変更
【補正の内容】
【００１９】
この共用器の第１の構成によれば、インダクタやコンデンサなどの集中定数素子を用いることなく、第１ストリップ線路共振器と第２ストリップ線路共振器のそれぞれを結合線路と電磁界結合によって結合する、という非常に簡単な構造によって共用器を実現することができるので、大幅な低損失化と小型化が可能となる。
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】変更
【補正の内容】
【００２３】
前記本発明の共用器の第１の構成においては、前記第１誘電体層、第２誘電体層、第３誘電体層及び第４誘電体層の少なくとも一層は、他の誘電体層と異なる誘電率を有するのが好ましい。この好ましい例によれば、コンデンサの容量を調整することができる。
【手続補正８】
【補正対象書類名】明細書
【補正対象項目名】００２４
【補正方法】変更
【補正の内容】
【００２４】
前記本発明の共用器の第１の構成においては、前記第１誘電体層を間に挟んで、前記第１シールド電極と対向させて設けられた調整用容量電極をさらに備えているのが好ましい。アンテナは、送信と受信の双方に用いられるが、この好ましい例によれば、送信と受信の整合を最適化することができる。
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】変更
【補正の内容】
【００３０】
本発明に係る共用器の第２の構成は、誘電体層と電極層が交互に積層された積層体からなる共用器であって、
前記積層体は、順次積層された、第１誘電体層と、第２誘電体層と、第３誘電体層と、第４誘電体層と、第５誘電体層と、第６誘電体層とを含み、
前記積層体内に設けられ、互いに通過帯域周波数の異なる、送信用の第１のフィルタと受信用の第２のフィルタと、
前記第１のフィルタと前記第２のフィルタとの間に設けられ、一端が短絡し、他端が外部端子に接続された結合線路からなる整合回路とを備え、
前記第１のフィルタと前記第２のフィルタは、シールド電極を介在させて対向して設けられており、
前記電極層は、
前記第１誘電体層の上面に配置された第１シールド電極と、
前記第１誘電体層と前記第２誘電体層との間に配置された、前記第１のフィルタを構成する、段間結合容量電極及び入出力結合容量電極と、
前記第２誘電体層と前記第３誘電体層との間に配置された、前記第１のフィルタを構成する複数個の共振器電極と、
前記第３誘電体層と前記第４誘電体層との間に配置された、第３のシールド電極と、前記整合回路を構成する結合線路電極と、
前記第４誘電体層と前記第５誘電体層との間に配置された、前記第２のフィルタを構成する、複数個の共振器電極及び当該共振器電極に接続された入出力線路電極と、
前記第５誘電体層と前記第６誘電体層との間に配置された、前記第２のフィルタを構成する段間結合容量電極と、
前記第６誘電体層の下面に配置された第２シールド電極と、
前記第１誘電体層、第２誘電体層、第３誘電体層、第４誘電体層、第５誘電体層及び第６誘電体層の側面に設けられ、前記入出力結合容量電極と前記入出力線路電極と前記結合線路電極のそれぞれに接続された少なくとも３つの端子電極と、
前記第１シールド電極と前記第２シールド電極と前記第３シールド電極とを接続する端面電極とを含み、
前記第１のフィルタは、一端が短絡した第１ストリップ線路共振器を少なくとも１つ含み、
前記第２のフィルタは、一端が短絡した第２ストリップ線路共振器を少なくとも１つ含み、
前記第１ストリップ線路共振器と前記第２ストリップ線路共振器は、それぞれ前記結合線路と電磁界結合によって結合されていることを特徴とする。
【手続補正１１】
【補正対象書類名】明細書
【補正対象項目名】００３１
【補正方法】変更
【補正の内容】
【００３１】
この共用器の第２の構成によれば、インダクタやコンデンサなどの集中定数素子を用いることなく、第１ストリップ線路共振器と第２ストリップ線路共振器のそれぞれを結合線路と電磁界結合によって結合する、という簡単な構造により、共用器を実現することができるので、大幅な低損失化が可能となる。また、送信用の第１のフィルタと受信用の第２のフィルタを縦方向に並べることができるので、共用器の占有面積を小さくすることができる。
【手続補正１２】
【補正対象書類名】明細書
【補正対象項目名】００３２
【補正方法】変更
【補正の内容】
【００３２】
本発明に係る共用器の第３の構成は、誘電体層と電極層が交互に積層された積層体からなる共用器であって、
前記積層体内に積層方向に並んで配置された第１シールド電極、第２シールド電極、第３シールド電極及び第４シールド電極と、
前記第１シールド電極と第２シールド電極との間に配置され、一端が短絡したストリップ線路共振器が複数個平行に近接して構成された第１のフィルタと、
前記第２シールド電極と第３シールド電極との間に配置され、結合線路からなる整合回路と、
前記第３シールド電極と前記第４シールド電極との間に配置され、一端が短絡したストリップ線路共振器が複数個平行に近接して構成され、前記第１のフィルタと通過帯域周波数の異なる第２のフィルタとを備え、
前記第２及び第３シールド電極には結合窓が設けられ、
前記第１及び第２のフィルタを構成する前記ストリップ線路共振器と前記結合線路とが、それぞれ前記結合窓を介して、電磁界結合によって結合されていることを特徴とする。
【手続補正１３】
【補正対象書類名】明細書
【補正対象項目名】００３３
【補正方法】変更
【補正の内容】
【００３３】
この共用器の第３の構成によれば、電磁界結合の強さの融通性を、簡単に図ることができる。
【手続補正１４】
【補正対象書類名】明細書
【補正対象項目名】００３４
【補正方法】変更
【補正の内容】
【００３４】
前記本発明の共用器の第３の構成においては、前記積層体は、順次積層された、第１誘電体層と、第２誘電体層と、第３誘電体層と、第４誘電体層と、第５誘電体層と、第６誘電体層と、第７誘電体層と、第８誘電体層とを含み、
前記電極層は、
前記第１誘電体層の上面に配置された第１シールド電極と、
前記第１誘電体層と前記第２誘電体層との間に配置された、前記第１のフィルタを構成する、段間結合容量電極及び入出力結合容量電極と、
前記第２誘電体層と前記第３誘電体層との間に配置された、前記第１のフィルタを構成する複数個の共振器電極と、
前記第３誘電体層と前記第４誘電体層との間に配置され、一部に前記結合窓が設けられた第３のシールド電極と、
前記第４誘電体層と前記第５誘電体層との間に配置された、前記整合回路を構成する結合線路電極と、
前記第５誘電体層と前記第６誘電体層との間に配置され、一部に前記結合窓が設けられた第４シールド電極と、
前記第６誘電体層と前記第７誘電体層との間に配置され、前記第２のフィルタを構成する、複数個の共振器電極及び当該共振器電極に接続された入出力線路電極と、
前記第７誘電体層と前記第８誘電体層との間に配置された、前記第２のフィルタを構成する段間結合容量電極と、
前記第８の誘電体層の下面に配置された第２のシールド電極と、
前記第１誘電体層、第２誘電体層、第３誘電体層、第４誘電体層、第５誘電体層、第６誘電体層、第７誘電体層及び第８誘電体層の側面に設けられ、前記入出力結合容量電極と前記入出力線路電極と前記結合線路電極のそれぞれに接続された少なくとも３つの端子電極と、
前記第１シールド電極と前記第２シールド電極と前記第３シールド電極と前記第４シールド電極とを接続する端面電極とを含んでいるのが好ましい。
【手続補正１５】
【補正対象書類名】明細書
【補正対象項目名】００３６
【補正方法】変更
【補正の内容】
【００３６】
本発明に係る共用器の第４の構成は、誘電体層と電極層が交互に積層された積層体からなる共用器であって、
前記積層体は、順次積層された、第１誘電体層と、第２誘電体層と、第３誘電体層と、第４誘電体層とを含み、
前記積層体内に設けられ、互いに通過帯域周波数の異なる、送信用の第１のフィルタと受信用の第２のフィルタと、
前記第１のフィルタと前記第２のフィルタとの間に設けられ、一端が開放し、他端が外部端子に接続された結合線路からなる整合回路とを備え、
前記電極層は、
前記第１誘電体層の上面に配置された第１シールド電極と、
前記第１誘電体層と前記第２誘電体層との間に配置された、前記第１のフィルタを構成する段間結合容量電極と、前記第２のフィルタを構成する入出力結合容量電極と、
前記第２誘電体層と前記第３誘電体層との間に配置された、前記第１のフィルタを構成する第１共振器電極と、前記第２のフィルタを構成する第２共振器電極と、前記整合回路を構成する結合線路電極と、
前記第３誘電体層と前記第４誘電体層との間に配置された、前記第１のフィルタを構成する入出力結合容量電極と、前記第２のフィルタを構成する段間結合容量電極と、
前記第４誘電体層の下面に配置された第２シールド電極と、
前記第１誘電体層、第２誘電体層、第３誘電体層及び第４誘電体層の側面に設けられ、前記第１のフィルタを構成する前記入出力結合容量電極と前記第２のフィルタを構成する前記入出力結合容量電極と前記結合線路電極のそれぞれに接続された少なくとも３つの端子電極と、
前記第１シールド電極と前記第２シールド電極とを接続する端面電極とを含み、
前記第１のフィルタは、一端が短絡した第１ストリップ線路共振器を少なくとも１つ含み、
前記第２のフィルタは、一端が短絡した第２ストリップ線路共振器を少なくとも１つ含み、
前記第１ストリップ線路共振器と前記第２ストリップ線路共振器は、それぞれ前記結合線路と電磁界結合によって結合されていることを特徴とする。
【手続補正１６】
【補正対象書類名】明細書
【補正対象項目名】００３７
【補正方法】変更
【補正の内容】
【００３７】
この共用器の第４の構成によれば、一端が開放し、他端が外部端子に接続された結合線路を用いることによっても、共用器として動作させることができる。
【手続補正１７】
【補正対象書類名】明細書
【補正対象項目名】００３８
【補正方法】変更
【補正の内容】
【００３８】
前記本発明の共用器の第４の構成においては、前記結合線路の開放端側に、誘電体層を介在させて整合用容量電極が接続されているのが好ましい。結合線路の一端を開放した場合には、開放端に浮遊容量が生じ、ばらつきの要因となるが、この好ましい例によれば、安定化させることができる。また、容量値を変えることにより、設計の自由度を得ることができる。
【手続補正１８】
【補正対象書類名】明細書
【補正対象項目名】００３９
【補正方法】削除
【補正の内容】
【手続補正１９】
【補正対象書類名】明細書
【補正対象項目名】００４０
【補正方法】削除
【補正の内容】
【手続補正２０】
【補正対象書類名】明細書
【補正対象項目名】００４１
【補正方法】変更
【補正の内容】
【００４１】
前記本発明の共用器の第４の構成においては、前記第１誘電体層、第２誘電体層、第３誘電体層及び第４誘電体層の少なくとも一層は、他の誘電体層と異なる誘電率を有するのが好ましい。
【手続補正２１】
【補正対象書類名】明細書
【補正対象項目名】００４２
【補正方法】変更
【補正の内容】
【００４２】
前記本発明の共用器の第４の構成においては、前記第１誘電体層を間に挟んで、前記第１シールド電極と対向させて設けられた調整用容量電極をさらに備えているのが好ましい。
【手続補正２２】
【補正対象書類名】明細書
【補正対象項目名】００４３
【補正方法】変更
【補正の内容】
【００４３】
前記本発明の共用器の第４の構成においては、前記第１ストリップ線路共振器と前記第２ストリップ線路共振器の少なくとも一方は、前記結合線路が形成された誘電体層とは異なる誘電体層に形成されているのが好ましい。
【手続補正２３】
【補正対象書類名】明細書
【補正対象項目名】００４４
【補正方法】変更
【補正の内容】
【００４４】
前記本発明の共用器の第４の構成においては、前記結合線路は、互いに連結された、線路幅の異なる少なくとも２つのストリップ線路からなるのが好ましい。
【手続補正２４】
【補正対象書類名】明細書
【補正対象項目名】００４５
【補正方法】変更
【補正の内容】
【００４５】
前記本発明の共用器の第４の構成においては、前記結合線路が複数本のストリップ線路からなり、前記複数本のストリップ線路は、それぞれ異なる誘電体層に設けられているのが好ましい。また、この場合には、前記複数本のストリップ線路のうち少なくとも１つは、他のストリップ線路と異なる線路幅を有するのが好ましい。また、この場合には、前記複数本のストリップ線路が、ビアホールによって互いに接続されているのが好ましい。
【手続補正２５】
【補正対象書類名】明細書
【補正対象項目名】００４６
【補正方法】変更
【補正の内容】
【００４６】
前記本発明の共用器の第４の構成においては、誘電体層を介在させて前記結合線路及び前記ストリップ線路共振器と重なるように設けられた結合コンデンサをさらに備えているのが好ましい。
【手続補正２６】
【補正対象書類名】明細書
【補正対象項目名】００４７
【補正方法】削除
【補正の内容】
【手続補正２７】
【補正対象書類名】明細書
【補正対象項目名】００４８
【補正方法】変更
【補正の内容】
【００４８】
本発明に係る共用器の第５の構成は、誘電体層と電極層が交互に積層された積層体からなる共用器であって、
前記積層体は、順次積層された、第１誘電体層と、第２誘電体層と、第３誘電体層と、第４誘電体層と、第５誘電体層と、第６誘電体層とを含み、
前記積層体内に設けられ、互いに通過帯域周波数の異なる、送信用の第１のフィルタと受信用の第２のフィルタと、
前記第１のフィルタと前記第２のフィルタとの間に設けられ、一端が開放し、他端が外部端子に接続された結合線路からなる整合回路とを備え、
前記第１のフィルタと前記第２のフィルタは、シールド電極を介在させて対向して設けられており、
前記電極層は、
前記第１誘電体層の上面に配置された第１シールド電極と、
前記第１誘電体層と前記第２誘電体層との間に配置された、前記第１のフィルタを構成する、段間結合容量電極及び入出力結合容量電極と、
前記第２誘電体層と前記第３誘電体層との間に配置された、前記第１のフィルタを構成する複数個の共振器電極と、
前記第３誘電体層と前記第４誘電体層との間に配置された、第３のシールド電極と、前記整合回路を構成する結合線路電極と、
前記第４誘電体層と前記第５誘電体層との間に配置された、前記第２のフィルタを構成する、複数個の共振器電極及び当該共振器電極に接続された入出力線路電極と、
前記第５誘電体層と前記第６誘電体層との間に配置された、前記第２のフィルタを構成する段間結合容量電極と、
前記第６誘電体層の下面に配置された第２シールド電極と、
前記第１誘電体層、第２誘電体層、第３誘電体層、第４誘電体層、第５誘電体層及び第６誘電体層の側面に設けられ、前記入出力結合容量電極と前記入出力線路電極と前記結合線路電極のそれぞれに接続された少なくとも３つの端子電極と、
前記第１シールド電極と前記第２シールド電極と前記第３シールド電極とを接続する端面電極とを含み、
前記第１のフィルタは、一端が短絡した第１ストリップ線路共振器を少なくとも１つ含み、
前記第２のフィルタは、一端が短絡した第２ストリップ線路共振器を少なくとも１つ含み、
前記第１ストリップ線路共振器と前記第２ストリップ線路共振器は、それぞれ前記結合線路と電磁界結合によって結合されていることを特徴とする。
【手続補正２８】
【補正対象書類名】明細書
【補正対象項目名】００４９
【補正方法】変更
【補正の内容】
【００４９】
本発明に係る共用器の第６の構成は、誘電体層と電極層が交互に積層された積層体からなる共用器であって、
前記積層体内に設けられ、互いに通過帯域周波数の異なる、送信用の第１のフィルタと受信用の第２のフィルタと、
前記第１のフィルタと前記第２のフィルタとの間に設けられ、結合線路からなる整合回路とを備え、
前記第１及び第２のフィルタのうちの少なくとも一方は、帯域阻止特性を有する、一端が短絡したストリップ線路共振器と伝送線路とからなるフィルタであり、
前記伝送線路と前記結合線路が電磁界結合によって結合されていることを特徴とする。
【手続補正２９】
【補正対象書類名】明細書
【補正対象項目名】００５０
【補正方法】変更
【補正の内容】
【００５０】
この共用器の第６の構成によれば、特定の高周波成分のみを阻止するフィルタとなる。帯域阻止特性を有するフィルタは、帯域通過特性を有するフィルタに比べて、低損失化を図ることができるので、送信フィルタの損失を低減することが可能となる。
【手続補正３０】
【補正対象書類名】明細書
【補正対象項目名】００５１
【補正方法】変更
【補正の内容】
【００５１】
前記本発明の共用器の第６の構成においては、前記積層体は、順次積層された、第１誘電体層と、第２誘電体層と、第３誘電体層と、第４誘電体層と、第５誘電体層とを含み、
前記電極層は、
前記第１誘電体層の上面に配置された第１シールド電極と、
前記第１誘電体層と前記第２誘電体層との間に配置された、前記第１のフィルタを構成する段間結合容量電極と、
前記第２誘電体層と前記第３誘電体層との間に配置された、前記第１のフィルタを構成する複数個の共振器電極と、前記整合回路を構成する結合線路電極と、
前記第３誘電体層と前記第４誘電体層との間に配置された、前記第１のフィルタを構成する入出力結合容量電極と、帯域阻止特性を有する前記第２フィルタを構成する伝送線路電極と、整合回路を構成する結合線路電極と、
前記第４誘電体層と前記第５誘電体層との間に配置された、前記第２のフィルタを構成する共振器電極と、
前記第５の誘電体層の下面に配置された第２のシールド電極と、
前記第１誘電体層、第２誘電体層、第３誘電体層、第４誘電体層及び第５誘電体層の側面に設けられ、前記入出力結合容量電極と前記伝送線路電極と前記結合線路電極にそれぞれ接続された少なくとも３つの端子電極と、
前記第１シールド電極と第２シールド電極とを接続する端面電極とを含んでいるのが好ましい。
【手続補正３１】
【補正対象書類名】明細書
【補正対象項目名】００５３
【補正方法】変更
【補正の内容】
【００５３】
前記本発明の共用器の第６の構成においては、前記積層体は、順次積層された、第１誘電体層と、第２誘電体層と、第３誘電体層と、第４誘電体層と、第５誘電体層とを含み、
前記電極層は、
前記第１誘電体層の上面に配置された第１シールド電極と、
前記第１誘電体層と前記第２誘電体層との間に配置された、前記第１のフィルタを構成する段間結合容量電極と、
前記第２誘電体層と前記第３誘電体層との間に配置された、前記第１のフィルタを構成する複数個の共振器電極と、前記整合回路を構成する結合線路電極と、
前記第３誘電体層と前記第４誘電体層との間に配置された、前記第１のフィルタを構成する入出力結合容量電極と、帯域阻止特性を有する前記第２フィルタを構成する伝送線路電極と、
前記第４誘電体層と前記第５誘電体層との間に配置された、前記第２のフィルタを構成する共振器電極と、
前記第５の誘電体層の下面に配置された第２のシールド電極と、
前記第１誘電体層、第２誘電体層、第３誘電体層、第４誘電体層及び第５誘電体層の側面に設けられ、前記入出力結合容量電極と前記伝送線路電極と前記結合線路電極にそれぞれ接続された少なくとも３つの端子電極と、
前記第１シールド電極と第２シールド電極とを接続する端面電極とを含み、
前記伝送線路電極の一部分は、積層方向への投影において、前記第３誘電体層を介在させて前記結合線路電極と重なっており、
前記積層方向への投影において、前記伝送線路電極の前記一部分の幅は、前記結合線路電極の幅と同一であるか又は異なっているのが好ましい。